(57)【特許請求の範囲】
【請求項１】
表示モジュールと、
前記表示モジュールの後部にはめられ、枠状の形状を成す枠フレームと、
前記枠フレームの上部と下部で固定され、前記表示モジュールの後面に取付部により固定されて、垂直方向で前記表示モジュールを支える中空形状のメインフレームと、
脚部を有し、前記表示モジュールを支えるためのスタンドとを備え、
前記スタンドの脚部は、前記メインフレームに差し込まれて、前記メインフレームに穿たれたねじ穴と、前記脚部に穿たれた第一のねじ穴によってねじ止めされ、さらに、前記スタンドの脚部は、前記脚部の第一のねじ穴と異なった高さの所にあり、前記脚部の第一のねじ穴が穿たれた他の面に第二のねじ穴が穿たれて、前記第二のねじ穴によって前記枠フレームの取付部にねじ止めされることを特徴とする映像表示装置。
【請求項２】
前記表示モジュールは、プラズマディスプレイ（ＰＤＰ）モジュールであることを特徴とする請求項１記載の映像表示装置。
【請求項３】
前記脚部は、コの字形状を成し、前記スタンドに回転できるように取り付けられていることを特徴とする請求項１記載の映像表示装置。
【発明の詳細な説明】
【技術分野】
【０００１】
本発明は、映像表示装置に係り、特に、大画面のプラズマディスプレイ装置を安定して設置するためのスタンドの取付け構造に関する。
【背景技術】
【０００２】
近年、素子の低廉化や製造技術の進歩、ユーザに対する見易さ、アピール度などが追求された結果、液晶ディスプレイ（ＬＣＤ：Liquid Crystal Display）装置やプラズマディスプレイ（ＰＤＰ：Plasma Display Panel）装置の大画面化が進みつつある。
【０００３】
特に、大型化が容易であるといわれている大画面のＰＤＰ装置では、家庭用でも４０インチ以上の大画面のモデルが一般的になりつつある。しかしながら、ＰＤＰは、その構造上装置の重量が重くなり、４０インチのタイプのＰＤＰ装置の重量は、３０Ｋｇ程度になり、５０インチでは、４０Ｋｇに達する。
【０００４】
そのため、大画面のＰＤＰ装置では、安定的にスタンドに取付けるための構造が問題となる。例えば、特許文献１の図３や図４には、ＰＤＰ装置をスタンドに取り付ける例が開示されている。
【０００５】
【特許文献１】特開２００７−１３４８２５号公報
【発明の開示】
【発明が解決しようとする課題】
【０００６】
以下、図５および図６を用いて従来技術に係るＰＤＰ装置のスタンドの取付け構造と、その問題点を説明する。
図５は、従来技術に係るスタンドの取付け構造を有するＰＤＰ装置の後方からの斜視図である。
図６は、従来技術に係るスタンドの脚部と、メインフレームの取付け個所を示す図である。
ここで、図６（ａ）は、スタンドの脚部と、メインフレームの取付け個所の断面図であり、図６（ｂ）は、スタンドの脚部と、メインフレームの取付け個所の断面図である。
【０００７】
ＰＤＰ装置のＰＤＰモジュール１は、枠フレーム３がその枠に取り付けられており、垂直に２本のメインフレーム１２がその枠フレーム３とＰＤＰモジュール１の背面にねじ止め、あるいは、ビス止めされ、支えるようになっている。そして、スタンド１４の脚部１４０は、図６（ａ）、図６（ｂ）に示されるように、メインフレーム１２に二箇所のねじ穴が同一面上に穿たれて、ねじ１４１ａ、ねじ１４１ｂにより止められて固定される。また、上記の特許文献１の図３や図４に示されたＰＤＰ装置のスタンドの取り付けも同様の仕方でなされている。
【０００８】
しかしながら、このように取付けると、メインフレーム１２とスタンド１４の脚部１４０が同一平面状でねじ止めされ取り付けられているため、ＰＤＰモジュールの重量が大きいときには、装置がぐらつき、そのゆれが大きくなるという問題点があった。特に、家庭に設置するような装置では、耐震性能をよくして、安全性、信頼性を確保する必要がある。ところが、そのために補強部材を取付けると、製造コストがアップするという問題点がある。
【０００９】
本発明は、上記問題点を解決するためになされたもので、その目的は、大型の映像表示装置において、ぐらつきが少なく、安全性、信頼性の高いスタンドの取付け構造を安価に提供することにある。
【課題を解決するための手段】
【００１０】
本発明の映像表示装置は、表示モジュールと、表示モジュールの後部にはめられ、枠状の形状の枠フレームと、枠フレームの上部と下部で固定され、表示モジュールの後面に取付部により固定されて、垂直方向で表示モジュールを支える中空形状のメインフレームと、脚部を有し、表示モジュールを支えるためのスタンドとを備えている。
【００１１】
そして、スタンドの脚部は、メインフレームに差し込まれて、メインフレームに穿たれたねじ穴と、脚部に穿たれた第一のねじ穴によってねじ止めされる。
【００１２】
さらに、スタンドの脚部は、脚部の第一のねじ穴と異なった高さの所にあり、脚部の第一のねじ穴が穿たれた他の面に第二のねじ穴が穿たれて、第二のねじ穴によって枠フレームの取付部にねじ止めされる。
【発明の効果】
【００１３】
本発明によれば、大型の映像表示装置において、ぐらつきが少なく、安全性、信頼性の高いスタンドの取付け構造を安価に提供することができる。
の映像表示装置を提供することができる。
【発明を実施するための最良の形態】
【００１４】
以下、本発明に係る各実施形態を、図１ないし図４を用いて説明する。
【００１５】
先ず、図１ないし図２を用いて本発明の一実施形態に係る映像表示装置の構造について説明する。
図１および図２は、本発明の一実施形態に係る映像表示装置の構造を示す図である。
ここで、図１（ａ）は、本発明の一実施形態に係る映像表示装置を、後方から見た図、図１（ｂ）は、図１（ａ）のＡ−Ａ断面図、図１（ｃ）は、正面図である。
また、図２は、本発明の一実施形態に係る映像表示装置の後方からの斜視図である。
【００１６】
図１（ａ）に示されるように、本実施形態のＰＤＰ装置は、映像を表示するＰＤＰモジュール１の枠に、枠フレーム３が取り付けられている。また、垂直方向には、メインフレーム２が配されており、枠フレーム２の上部でねじ、あるいは、ビスで止められている。また、メインフレーム２は、取付部２１ａと取付部２１ｂにより、 ＰＤＰモジュール１の背面に、また、取付部２１ｃにより、枠フレーム３に、ねじ、あるいは、ビスで止められる。ＰＤＰモジュール１は、表面に電極を形成した２枚のガラスの間にヘリウムやネオンなど希ガス族元素の高圧の気体を封入したものであり、最後方は、鉄またはアルミニウムの金属板で形成されており、そこに枠フレーム３がビス止めされている。また、図１には示さなかったが、電源基板、チューナやデコード部などを含むメイン基板、ＰＤＰの画面駆動の信号を制御するＸ−ＳＵＳ基板、Ｙ−ＳＵＳ基板、録画データやプログラムを格納するハードディスク装置なども設置される。
【００１７】
メインフレーム２は、中空の角型のパイプ形状をしており、そこに、スタンド４の脚部４０を差込み、メインフレーム２とねじ止めされる。また、脚部４０と枠フレーム３に取り付けられた取付部３１とがねじ止めされる。
【００１８】
図１（ａ）のＡ−Ａ断面図を示したのが、図１（ｂ）であり、ＰＤＰモジュール１を形成する平面と異なった二つの平行な平面β１とβ２上で、スタンド４の脚部４０とメインフレーム２が、また、スタンド４の脚部４０と枠フレーム３に取り付けられた取付部３１がそれぞれねじにより固定されることが分かる。
【００１９】
以下、図３を用いてＰＤＰ装置のスタンドの取付け構造の要部を詳細に説明する。
図３は、本発明の一実施形態に係るスタンドの取付け構造を示す図である。
ここで、図３（ａ）は、斜視図、図３（ｂ）は、メインフレーム２とスタンドの脚部４０の取付け構造を示す断面図、図３（ｃ）は、メインフレーム２とスタンドの脚部４０の取付け個所の正面図である。
【００２０】
メインフレーム２は、角型の中空のパイプ形状であり、脚部４０は、メインフレーム２よりも寸法の小さい角型の中空のパイプ形状であり、メインフレーム２の中空部に差し込めるようになっている。
【００２１】
メインフレーム２と脚部４０には、それぞれ整合するように、ねじ穴２２と４１ａが穿たれており、ねじ５０ａによりねじ止めされる。
【００２２】
また、脚部４０の前面に貫通穴４１ｂが穿たれ、その貫通穴４１ｂの向かいの後面に位置に、ねじ穴４１ｃが穿たれている。そして、ねじ穴４１ｃの所で、枠フレーム３に取り付けられている取付部３１とねじ５０ｂによりねじ止めされるようになっている。
【００２３】
このように、図１（ｂ）に示したように、ＰＤＰモジュール１と平行な平面β１で、スタンド４の脚部４０とメインフレーム２がねじ止めされ、これと異なったＰＤＰモジュール１と平行な平面β２で、高さを異ならして、スタンド４の脚部４０と枠フレーム３に取り付けられた取付部３１がねじ止めされる。
【００２４】
このようなスタンド４の脚部４０の取り付け方をすると、平面β１と平面β２それぞれ高さを異ならしめて荷重が分散されて固定されるため、物理的に安定した構造になる。したがって、ぐらつきに強く、強度の優れた取り付け構造を実現できる。また、ＰＤＰモジュール１をγのように前後に揺動させても、従来技術に比べて静止が早いスタンドの脚部の取付け構造を実現することができる。
【００２５】
次に、図４を用いて本発明の他の実施形態を説明する。
図４は、本発明の他の一実施形態に係る映像表示装置の構造を示す図である。
ここで、図４（ａ）は、本体とスイーベルスタンド６を取り付けた斜視図であり、図４（ｂ）は、スイーベルスタンド６の斜視図である。
【００２６】
この実施形態では、スタンドがスイーベルスタンド６になっており、それにコの字型の脚部５１が取り付けられている。
【００２７】
コの字型の脚部５１は、スイーベルスタンド６上を所定の角度分回転することができるようになっており、視聴者は、画面を視聴に適した角度に変えられるようになっている。
【００２８】
脚部５１とメインフレーム２がねじ止めされ、高さを異ならして、脚部５１と枠フレーム３にねじ止めすることは、上記の実施形態と同様である。
【図面の簡単な説明】
【００２９】
【図１】本発明の一実施形態に係る映像表示装置の構造を示す図（後方からの図、Ａ−Ａ断面図、正面図）である。である。
【図２】本発明の一実施形態に係る映像表示装置の構造を示す図（斜視図）である。
【図３】本発明の一実施形態に係るスタンドの取付け構造を示す図（斜視図、断面図、正面図）である。
【図４】本発明の他の一実施形態に係る映像表示装置の構造を示す図である。
【図５】従来技術に係るスタンドの取付け構造を有するＰＤＰ装置の後方からの斜視図である。
【図６】従来技術に係るスタンドの脚部と、メインフレームの取付け個所を示す図（斜視図、断面図）である。
【符号の説明】
【００３０】
１…ＰＤＰモジュール、２…メインフレーム、３…枠フレーム、４…スタンド、２１ａ，ｂ，ｃ…取付部（ＰＤＰモジュール−メインフレーム）、３１…取付部（枠フレーム−脚部）、４０…脚部、４１ａ，ｃ…ねじ穴、４１ｂ…貫通穴、５０ａ，ｂ…ねじ、１２…メインフレーム、１４…スタンド、１４０…脚部、１４１ａ，ｂ…ねじ。
【図１】
0004988518.tif 000002
【図２】
0004988518.tif 000003
【図３】
0004988518.tif 000004
【図４】
0004988518.tif 000005
【図５】
0004988518.tif 000006
【図６】
0004988518.tif 000007